(57)【要約】      （修正有）【課題】底面部を押し破る必要はなく、底面部を突き出すように変形させることで内容物を容易に取り出すことができるカップ容器を提供する。【解決手段】底面部、側面部１０３および底面部に対向する開口部１０４を有しているカップ容器１００であって、又は、開口部に蓋部を有しているカップ容器であって、底面部にカップ容器の開口部側に突き出すことができる伸縮構造部１１０〜１５０を有している。【選択図】図７
2017214125.tif 000002
【特許請求の範囲】
【請求項１】
底面部、側面部および前記底面部に対向する開口部を有しているカップ容器であって、
前記底面部に前記カップ容器の開口部側に突き出すことができる伸縮構造部を有している、カップ容器。
【請求項２】
底面部、側面部および前記底面部に対向する開口部に蓋部を有しているカップ容器であって、
前記底面部に前記カップ容器の内側方向に突き出すことができる伸縮構造部を有している、カップ容器。
【請求項３】
前記伸縮構造部が蛇腹構造を含むものである、請求項１または２記載のカップ容器。
【請求項４】
前記底面部が有している伸縮構造部が、前記底面部の外周部から内側に向かって順に、外側環状溝部、第１環状屈曲部、環状傾斜面部、第２環状屈曲部および台状突出部を有しており、
前記外側環状溝部が、前記側面部の一部からなる環状外周壁部と、前記環状外周壁部と接した前記底面部の一部からなる環状底面部と、前記環状底面部の内周部から前記開口部側に伸ばされた環状内周壁部を有しており、前記開口部と反対側に突き出されたものであり、
前記台状突出部が、前記底面部の面積中心を含む部分が前記開口部側に突き出されたもので、平面部と、前記平面部から前記開口部側と反対側に伸ばされた環状壁部を有しているものであり、
前記環状傾斜面部が、前記外側環状溝部の環状内周壁部の上端部と前記台状突出部の環状壁部の下端部の間に形成されたものであり、
さらに前記外側環状溝部の環状内周壁部の上端部と前記環状傾斜面部の外周部の間が第１環状屈曲部で連結され、前記環状傾斜面部の内周部と前記台状突出部の環状壁部の下端部の間が第２環状屈曲で連結されているものである、請求項１または２記載のカップ容器。
【請求項５】
前記環状傾斜面部が、周方向に連続的に形成され、かつ内周部側から外周部側に放射状に形成された環状波形部を有している、請求項４記載のカップ容器。
【請求項６】
前記カップ容器の中心軸と平行な軸と環状傾斜面部の間の角度θ１が３５・〜７５・であり、前記カップ容器の中心軸と平行な軸と前記台状突出部の環状壁部の間の角度θ２が３・〜４５・である、請求項４または５記載のカップ容器。
【請求項７】
前記第１環状屈曲部の幅方向の断面形状と前記第２環状屈曲部の幅方向の断面形状が、Ｖ字形状、Ｕ字形状またはそれらが連続した波形から選ばれるものである、請求項４〜６のいずれか１項記載のカップ容器。
【請求項８】
平面形状が、円形、楕円形、多角形、星形、不定形から選ばれるものである、請求項１〜７のいずれか１項記載のカップ容器。
【請求項９】
前記底面部が２箇所以上の伸縮構造部を有しているものである、請求項１〜８のいずれか１項記載のカップ容器。
【請求項１０】
少なくとも底面部と側面部が透明である、請求項１〜９のいずれか１項記載のカップ容器。
【発明の詳細な説明】
【技術分野】
【０００１】
本発明は、食品を初めとする各種物品の容器として適しているカップ容器に関する。
【背景技術】
【０００２】
プラスチック製のカップ容器内に各種食品を入れた後、耐水紙やプラスチックフィルなどで蓋をしたもの、または紙やプラスチックからなる蓋を被せた製品が販売されている。
このようなカップ容器には、プリン、ゼリー、水ようかん、ケーキ、豆腐などの柔らかく壊れやすい食品を入れることが多いため、前記容器自体の強度はある程度高くなるように調整されている。
このため、カップ容器に入った食品を購入したときには、カップ容器と食品が密着していることが多いことから、カップ容器から食品を取り出すことが難しいという問題があった。
従来は、カップ容器を振ったり、容器と食品の間に指やスプーンなどを入れたりして無理に取り出したり、スプーンやフォークを使用してそのまま食べたりしていた。
しかし、無理に取り出した場合には、食品の形が壊れたり、潰れたりする問題があり、来客用にする場合などには、カップ容器のままで出すことはできなかった。
【０００３】
特許文献１には、合成樹脂製のケーキ収納容器の発明が記載されている。この合成樹脂製のケーキ収納容器は、底面部に切り込み部を有しており、図５に示すように、指で底面部の切り込み部を押し破ることでケーキを取り出すものである（段落番号００１３）。
しかし、製品の製造過程や製品の流通時において切り込み部が破損して、裂け目が生じたり、開口したりするおそれがある。
【先行技術文献】
【特許文献】
【０００４】
【特許文献１】特許第５３４０６５０号公報
【発明の概要】
【発明が解決しようとする課題】
【０００５】
本発明は、従来技術のように底面部を押し破る必要はなく、底面部を突き出すように変形させることで内容物を容易に取り出すことができるカップ容器を提供することを課題とするものである。
【課題を解決するための手段】
【０００６】
本発明（第１実施形態）は、底面部、側面部および前記底面部に対向する開口部を有しているカップ容器であって、
前記底面部の一部に前記カップ容器の内側方向に突き出すことができる伸縮構造部を有している、カップ容器を提供する。
【０００７】
本発明（第２実施形態）は、底面部、側面部および前記底面部に対向する開口部に蓋部を有しているカップ容器であって、
前記底面部の一部に前記カップ容器の内側方向に突き出すことができる伸縮構造部を有している、カップ容器を提供する。
【発明の効果】
【０００８】
本発明のカップ容器によれば、底面部を指などで軽く押すことで、底面部を開口させることなく、さらに内容物を壊したり、変形させたりすることなく、容易に取り出すことができる。
【図面の簡単な説明】
【０００９】
【図１】（ａ）は、本発明のカップ容器（蓋なし）の縦方向断面図、（ｂ）は、本発明のカップ容器（蓋あり）の縦方向断面図。
【図２】図１（ａ）の開口部側から見た平面図であり、図１（ｂ）の蓋を取り去った状態の開口部側から見た平面図。
【図３】（ａ）は、カップ容器にケーキを入れた状態を示す縦方向断面図、（ｂ）は、（ａ）のケーキの取り出し方法の説明図。
【図４】（ａ）は、本発明の別実施形態であるカップ容器（蓋なし）の縦方向断面図、（ｂ）は（ａ）の平面形状が略楕円形である場合の平面図、（ｃ）は（ａ）の平面形状が略長方形である場合の平面図。
【図５】図４（ａ）の第１環状屈曲部または第２環状屈曲部の幅方向断面図。
【図６】図４（ａ）の環状傾斜面部の部分斜視図。
【図７】（ａ）は、図４（ａ）のカップ容器内にケーキを入れたときの縦方向断面図、（ｂ）は、（ａ）のケーキの取り出し方法の説明図。
【発明を実施するための形態】
【００１０】
（１）図１、図２のカップ容器
図１（ａ）のカップ容器１は、底面部２、側面部３および底面部２に対向する開口部４を有している。
底面部２と側面部３には、補強のため、必要に応じてリブを形成することもできる。
開口部４は、カップ容器１内に内容物を入れたあとは、例えば、紙、プラスチックフィルムなどを貼り付けることで閉塞することができる。
図１（ａ）のカップ容器１は、底面部２の一部にカップ容器１の内側方向（開口部４方向）に突き出すことができる伸縮構造部６を有している。
【００１１】
図１（ｂ）のカップ容器１０は、底面部１２、側面部１３および底面部１２に対向する開口部１４を有している。
底面部１２と側面部１３には、補強のため、必要に応じてリブを形成することもできる。
開口部１４は、カップ容器１０内に内容物を入れたあとは、蓋部１５で閉塞される。
図１（ｂ）のカップ容器１０は、底面部１２の一部にカップ容器１０の内側方向（開口部１４方向）に突き出すことができる伸縮構造部１６を有している。
【００１２】
伸縮構造部６、１６は、いずれも同じ構造からなるものであり、周知の蛇腹構造を使用することができるほか、特開２０１３−７９１００号公報に記載の折り畳み式容器の伸縮構造を利用することもできる。
伸縮構造部６、１６は、底面部２、１２の中心部（面積中心部）を含む範囲に形成されていることが好ましいが、底面部２、１２の形状に応じては、面積中心部から偏った位置に形成されていてもよい。
伸縮構造部６、１６は、カップ容器１、１０（底面部２、１２）の大きさや形状に応じて、２箇所以上に形成することができる。
伸縮構造部６、１６は、通常状態では底面部２、１２とほぼ面一になっている。
【００１３】
カップ容器１とカップ容器１０は、底面部２、１２の内径と開口部４、１４の内径が同じ大きさのものでもよいし、図１に示すように、底面部２、１２の内径が開口部４、１４の内径よりも小さく、側面部３、１３が傾斜面であるものでもよい。
【００１４】
カップ容器１、１０のそれぞれの平面形状は、内容物の種類および用途などに応じて適宜決定されるものであるが、例えば、円形、楕円形、多角形、星形（三角形、正方形、長方形、五角形以上の多角形）、不定形から選ばれるものにすることができる。多角形と星形は、角部が丸みを帯びているものでもよい。多角形は、辺および角の両方が丸みを帯びている楕円形に類似する形状のものでもよい。
【００１５】
カップ容器１、１０は、公知の熱可塑性樹脂、紙、これらの複合材料などからなるものが好ましい。熱可塑性樹脂を使用するときは、発泡構造、非発泡構造、またはこれらの複合構造からなるものにすることができる。
カップ容器１、１０は、それぞれの底面部２、１２と側面部３、１３が透明であるものが好ましい。ここで透明とは、肉眼で内容物を視認できる程度の透明性を有していることを意味する。
【００１６】
カップ容器１、１０は、ポリオレフィン系樹脂（ポリプロピレン系樹脂など）、スチレン系樹脂シート（耐衝撃性ポリスチレン、ゴムグラフトスチレン系樹脂、スチレン−ジエン共重合体、熱可塑性エラストマーなどから選択された少なくとも一種の軟質樹脂を含んでいてもよいポリスチレン系樹脂など）、ハロゲン化ビニル系樹脂シート（塩化ビニル系樹脂シート）、ポリエステル系樹脂シート（ポリエチレンテレフタレート、ポリブチレンテレフタレート、ポリエチレンナフタレートなどのポリアルキレンアリレート系ホモ又はコポリエステルなど）などの熱可塑性樹脂からなるものを使用することができる。
また前記熱可塑樹脂には、充填剤（タルク、炭酸カルシウムなど）、着色剤（酸化チタン、有彩色顔料、カーボンブラックなど）、安定剤（酸化防止剤、紫外線吸収剤、光安定剤、熱安定剤など）などの添加剤を添加することもできる。
【００１７】
カップ容器１、１０の厚みは、用途に応じた強度に対応して決めることができるが、例えば０．２〜５．０ｍｍの範囲にすることができる。
【００１８】
本発明のカップ容器は、熱可塑性樹脂シートを用いた慣用の熱成形法、例えば、真空成形、吹き込み成形、圧空成形、マッチドモールド成形などを利用して成形することができる。
【００１９】
次に、図３（ａ）、（ｂ）により本発明のカップ容器１の使用方法を説明する。
図３（ａ）は、カップ容器１の内部にケーキ２０が入り、既に蓋となるプラスチックフィルムが剥がされた状態が示されている。ケーキ２０の底面２１は、カップ容器１の底面部２に当接され、ケーキ２０の周面２２はカップ容器１の側面部３に当接されている。
図３（ａ）の状態にて底面部２の伸縮構造部６を指で押すと、図３（ｂ）に示すように伸縮構造部６が内側に突き出されるように伸びてケーキ２０が押し上げられ、ケーキ２１の上面２３と周面２２の一部がカップ容器１から突き出されると共に、ケーキ120と側面部103との密着状態も解消される。
このため、カップ容器１からケーキ２０を容易に取り出すことができるようになる。
【００２０】
カップ容器１の深さ（Ｈ１）と伸縮構造部６の最大伸長高さ（Ｈ２）は、内容物の種類、重さなどにより調整されるものであるが、内容物の取り出しやすさを高めるためには、Ｈ２／Ｈ１が０．１〜０．６の範囲であることが好ましく、０．２〜０．４の範囲であることがより好ましい。
カップ容器１の深さ（Ｈ１）は、底面部２の内側面２ａから開口部４までの距離であり、伸縮構造部６の最大伸長高さ（Ｈ２）は、底面部２の内側面２ａから伸縮構造部６の最大に伸ばしたときの高さまでの距離である。
【００２１】
カップ容器１の底面２の内径（Ｄ１）と伸縮構造部６の外径（Ｄ２）は、内容物の種類、重さなどにより調整されるものであるが、内容物の取り出しやすさを高めるためには、Ｄ２／Ｄ１が０．１〜１．０の範囲であることが好ましく、０．２〜０．７の範囲であることがより好ましい。
伸縮構造部６の外径（Ｄ２）は、最大外径部分の外径である（図３のＤ２）。
【００２２】
本発明は、底の深いカップ容器に使用した場合に特に効果が大きいが、内容物の種類などに応じて底の浅いカップ容器にも使用することができる。
本発明のカップ容器は、深さ（Ｈ１）（図３（ｂ））と前記開口部の内径（Ｌ１）（図１）の比（Ｈ１／Ｌ１）が１以上のものに適用することができ、例えばＨ１／Ｌ１が１〜５、好ましくは１〜３のものに適用することができる。
【００２３】
（２）図４のカップ容器
図４（ａ）のカップ容器100は、底面部102、側面部103および底面部102に対向する開口部104を有している。
図４（ｂ）は、図４（ａ）のカップ容器100の平面形状が楕円形に類似した形状の実施形態であり、図４（ｃ）は、図４（ａ）のカップ容器100の平面形状が長方形に類似した形状の実施形態である。
側面部103には、補強のため、必要に応じてリブを形成することもできる。
開口部104は、カップ容器100内に内容物を入れたあとは、例えば、紙、プラスチックフィルムなどを貼り付けることで閉塞されるほか、図１（ｂ）に示すような蓋を取り付けることもできる。
【００２４】
カップ容器100は、底面部102の内径と開口部104の内径が同じ大きさのものでもよいし、図４に示すように、底面部102の内径が開口部104の内径よりも小さく、側面部104が傾斜面であるものでもよい。
カップ容器100の平面形状は、内容物の種類および用途などに応じて適宜決定されるものであるが、例えば、円形、楕円形、多角形、星形（三角形、正方形、長方形、五角形以上の多角形）、不定形から選ばれるものにすることができるが、円形、楕円形、多角形が好ましい。多角形と星形は、角部が丸みを帯びているものでもよい。多角形は、辺および角の両方が丸みを帯びている楕円形に類似する形状のものでもよい。
カップ容器100の底面部102と側面部103は透明であるものが好ましい。ここで透明とは、肉眼で内容物を視認できる程度の透明性を有していることを意味する。
カップ容器100の厚みは、用途に応じた強度に対応して決めることができるが、例えば０．２〜５．０ｍｍの範囲にすることができる。
カップ容器100の材質は、図１に示すカップ容器１と同じものにすることができる。
図４のカップ容器100は、底面部102にカップ容器100の内側方向（開口部104方向）に突き出すことができる伸縮構造部を有している。
【００２５】
カップ容器100の底面部102は、外周部から内側に向かって順に、外側環状溝部110、第１環状屈曲部120、環状傾斜面部130、第２環状屈曲部140および台状突出部150を有しており、これらが伸縮構造部を形成している。
カップ容器100では、使用時において伸縮するのは台状突出部150、第２環状屈曲部140および環状傾斜面部130であるが、外側環状溝部110と第１環状屈曲部120も前記伸縮作用に関与しているため、全体が伸縮構造部となる。
【００２６】
外側環状溝部110は、底面部102側の側面部103の一部からなる環状外周壁部111と、環状外周壁部111と接した底面部102の一部からなる環状底面部112と、環状底面部112の内周部から開口部104側に伸ばされた環状内周壁部113を有している。外側環状溝部110は、開口部104側と反対側に突き出されている。
【００２７】
台状突出部150は、底面部102の面積中心を含む内表面が開口部104側に突き出されたものである。
台状突出部150は、平面部151と、平面部151から開口部104側と反対側に伸ばされた環状壁部152を有している。
平面部151の平面形状は特に制限されるものではないが、底面部102の平面形状と同形状または類似する形状であることが好ましい。
環状壁部152の壁面は、平面部151に対して垂直でもよいが、傾斜面であることが好ましい。
環状壁部152の壁面が傾斜面であるとき、カップ容器100の中心軸Ｘと平行な軸Ｘ２と環状壁部152の壁面の間の角度θ２は３°〜４５°が好ましく、４°〜４０°がより好ましく、５°〜３０°がさらに好ましい。前記角度の範囲内であると、伸縮構造部に含まれる台状突出部150、第２環状連結部140および環状傾斜面部130が開口部104側に突き出されるように変形され易くなる。
【００２８】
環状傾斜面部130は、外側環状溝部110の環状内周壁部113の上端部と台状突出部150の環状壁部152の下端部の間に形成されている。
環状傾斜面部130は、カップ容器100を底面部102が下、開口部104が上になるように置いたとき、外側環状溝部110から台状突出部150に向かって下るような傾斜面である。
環状傾斜面部130は、平坦面からなるものでもよいが、図４（ｂ）、図４（ｃ）、図６に示すような環状波形部131からなるものが好ましい。
環状波形部131は、周方向に連続的に形成され、かつ内周部（第２環状屈曲部140側）側から外周部（第１環状屈曲部120）側に放射状に形成されている。
また環状傾斜面部130は、環状波形部131に替えて多数の環状屈曲部が同心円状に形態された蛇腹構造であってもよい。
カップ容器100の中心軸Ｘと平行な軸Ｘ１と環状傾斜面部130の間の角度θ１は３５°〜７５°が好ましく、４５°〜６５°がより好ましく、５０°〜６０°がさらに好ましい。前記角度の範囲内であると、伸縮構造部に含まれる台状突出部150、第２環状連結部140および環状傾斜面部130が開口部104側に突き出されるように変形され易くなる。
【００２９】
外側環状溝部110の環状内周壁部113の上端部と環状傾斜面部130の外周部の間は第１環状屈曲部120で連結されている。
第１環状屈曲部120は、幅方向の断面形状に折れ曲がり部を有しているものであり、例えば、図５（ａ）のようなＶ字形状（先端部が丸くなったものも含む）、図５（ｂ）のような波形形状（曲線部分が角張ったものも含む）、図５（ｃ）のようなＵ字形状、図５（ｄ）のような波形から選ばれる形状であるものが好ましい。
図４（ａ）、（ｂ）に示す実施形態では、第１環状屈曲部120の幅方向への断面形状は、角張ったＵ字形状（四角形の三辺からなる形状）である。
第１環状屈曲部120を含む部分が外力を受けて変形したとき、前記の折れ曲がり部が存在しているため、前記変形が容易になるほか、第１環状屈曲部120が損傷することもない。
【００３０】
環状傾斜面部130の内周部と台状突出部150の環状壁部151の下端部の間は第２環状屈曲部140で連結されている。
第２環状屈曲部140の幅方向の断面形状は、幅方向の断面形状に折れ曲がり部を有しているものであり、例えば、図５（ａ）のようなＶ字形状（先端部が丸くなったものも含む）、図５（ｂ）のような波形形状（曲線部分が角張ったものも含む）、図５（ｃ）のようなＵ字形状、図５（ｄ）のような波形から選ばれる形状であるものが好ましい。
図４（ａ）、（ｂ）に示す実施形態では、第２環状屈曲部140の幅方向への断面形状は、角張ったＵ字形状（四角形の三辺からなる形状）である。
第２環状屈曲部140を含む部分が外力を受けて変形したとき、前記の折れ曲がり部が存在しているため、前記変形が容易になるほか、第２環状屈曲部140が損傷することもない。
【００３１】
次に、図７（ａ）、（ｂ）により本発明のカップ容器100の使用方法を説明する。
図７（ａ）に示すようにカップ容器100にケーキ120が入っているときには、ケーキ120の底面部121は、台状突出部150の平面部151、環状傾斜面部130の外周部および第１環状屈曲部120に当接され、カップ容器100の側面部103に当接されている。
またケーキ120が入ったカップ容器100は、店舗内に陳列されているときは、環状底面部112と第２環状屈曲部140が陳列台に接触されている。
【００３２】
図７（ａ）に示す状態からケーキ120を取り出すとき、底面部102の台状突出部150を含む部分を指などで押すと、図７（ｂ）に示すように、伸縮構造部に含まれる台状突出部150、第２環状連結部140および環状傾斜面部130が開口部104側に突き出されるように変形される。
図７（ａ）から図７（ｂ）の状態になることによって、カップ容器100内のケーキ120は台状突出部150の平面部151により支持されて上昇され、側面122の一部と上面123がカップ容器100から突き出された状態になると共に、ケーキ120と側面部103との密着状態も解消される。
このため、カップ容器100からケーキ120を容易に取り出すことができるようになる。
このように図７（ａ）から図７（ｂ）に示すように突き出されるように変形したときでも、第１環状屈曲部120と第２環状屈曲部140は前記変形を吸収するように作用するため、第１連結部120と第２連結部140が破損することはなく、さらに図７（ｂ）示す変形状態を維持するように作用する。
また環状傾斜面部130が波形部131を有している場合には、図７（ａ）から図７（ｂ）への変形がより容易に行われる。
さらに環状傾斜面部130が角度θ１の範囲を満たし、環状壁部152の壁面が角度θ２の範囲を満たしている場合には、図７（ａ）から図７（ｂ）への突き出し変形が容易になるように作用する。ここで例えば角度θ１が０・であったり、角度θ２が９０・であったりした場合には、底面部102の台状突出部150を含む部分を指などで押したときには変形できるが、前記変形が円滑には行われない場合もある。
【００３３】
カップ容器100の深さ（Ｈ１）（環状底面部112までの深さ）と伸縮構造部（台状突出部150）の最大伸長高さ（Ｈ２）は、内容物の種類、重さなどにより調整されるものであるが、内容物の取り出しやすさを高めるためには、Ｈ２／Ｈ１が０．１〜０．５の範囲であることが好ましく、０．１〜０．４の範囲であることがより好ましい。
本発明は、底の深いカップ容器に使用した場合に特に効果が大きいが、内容物の種類などに応じて底の浅いカップ容器にも使用することができる。
本発明のカップ容器は、深さ（開口部104から台状突出部150の平面部151までの深さ）と開口部104の内径の比（深さ／内径）が１以上のものに適用することができ、例えば１〜５、好ましくは１〜３のものに適用することができる。
【産業上の利用可能性】
【００３４】
本発明のカップ容器は、プリン、ゼリー、水ようかん、ケーキ、パン、豆腐などの柔らかく、壊れやすい食品用の容器のほか、堅い食品用の容器、食品以外でも、容器と内容物が密着した状態で使用される容器として利用することができる。
【符号の説明】
【００３５】
１、１０、100  カップ容器
２、１２、102  底面部
３、１３、103  側面部
４、１４、104  開口部
６、１６  伸縮構造部
１５  蓋部
110  外側環状溝部
120  第１環状屈曲部
130  環状傾斜面部
140  第２環状屈曲部
150  台状突出部
【図１】
2017214125.tif 000003
【図２】
2017214125.tif 000004
【図３】
2017214125.tif 000005
【図４】
2017214125.tif 000006
【図５】
2017214125.tif 000007
【図６】
2017214125.tif 000008
【図７】
2017214125.tif 000009